(57)【要約】【課題】設定告知イベントにおいて、実際に設定値告知が適切な割合で行われているか否かを把握することができると共に、全ての遊技機において平均的に設定値告知が行われているか否かを把握することができる遊技場用管理システムを提供する。【解決手段】管理装置は、設定告知イベントを開催するにあたって告知条件を満たした場合に、設定値告知の設定が行われた回数と実際に設定値告知が行われた回数をスロットマシン１の台番及び設定値毎に関連付けて管理する。管理装置は、遊技場の店員により所定期間が設定されると、スロットマシン毎の平均値、合計、告知率、さらには、設定値毎の合計、告知率を算出して設定値告知統計データとして表示する。従って、次回の設定告知イベントの際に、設定値告知統計データに基づいて告知条件を設定することで、特定の遊技機に偏って設定情報の告知が行われることなく、適切な頻度で設定値告知を行うことが可能となる。【選択図】図８
2008132128.tif 000002
【特許請求の範囲】
【請求項１】
遊技機に対応して設けられ、当該遊技機の大当たり確率の設定情報を遊技者に告知するための設定告知手段と、
この設定告知手段により遊技者に設定情報を告知するか否かを判定するための告知条件を設定する告知条件設定手段と、
この告知条件設定手段により設定された告知条件が成立したときに前記設定告知手段を作動させて設定情報を遊技者に告知する告知制御手段とを備えた遊技場用管理システムにおいて、
所定期間において、前記設定告知手段により設定情報の告知が行われた告知回数を前記遊技機毎に対応させて集計する遊技機毎告知回数集計手段と、
所定期間において、前記告知条件設定手段により設定情報を告知するように設定された設定回数に対する前記遊技機毎告知回数集計手段により集計された告知回数の割合を前記遊技機毎に対応させて算出する遊技機毎告知率算出手段とを備えたことを特徴とする遊技場用管理システム。
【請求項２】
所定期間において、前記設定告知手段により設定情報の告知が行われた告知回数を大当たり確率の異なる設定情報毎に集計する設定情報毎告知回数集計手段と、
所定期間において、前記告知条件設定手段により設定情報を告知するように設定された設定回数に対する前記遊技機毎告知回数集計手段により集計された告知回数の割合を設定情報毎に算出する設定情報毎告知率算出手段とを備えたことを特徴とする請求項１記載の遊技場用管理システム。
【発明の詳細な説明】
【技術分野】
【０００１】
本発明は、告知条件が成立したときに遊技機の大当たり確率の設定情報を遊技者に告知する遊技場用管理システムに関する。
【背景技術】
【０００２】
近年の遊技場においては、所謂設定告知イベントを開催することで遊技者を煽り、集客を図るようにしている。この設定告知イベントとは、特許文献１に記載されているように、例えばスロットマシンの稼動データ（ゲーム数、差メダル数など）が予め設定された告知条件を満たした時点で、そのスロットマシンの設定値を遊技者に告知するというものである。
【特許文献１】特開２００２−１２６１７０号公報
【発明の開示】
【発明が解決しようとする課題】
【０００３】
このような設定告知イベントは集客を実現する上で非常に有効といえるが、全ての遊技機の設定値を告知してしまうと、低い設定値の遊技機の稼動率が低下してしまうので、実際は一部の遊技機に限定して設定値告知が行われる。ただし、設定値告知が行われる遊技機の台数が少なすぎると、せっかくのイベントが台無しとなってしまうので、多過ぎず少な過ぎず適度な割合で設定値告知が行われることが重要であった。また、設定値告知が行われる遊技機に偏りが生じることも好ましくないので、特定の遊技機に偏ることなく、全ての遊技機において平均的に設定値告知を行うことも必要であった。
【０００４】
本発明は、上記事情に鑑みてなされたもので、その目的は、実際に設定値告知が適切な割合で行われているか否か、また、全ての遊技機において平均的に設定値告知が行われているか否かを把握することができる遊技場用管理システムを提供することにある。
【課題を解決するための手段】
【０００５】
請求項１の発明によれば、所定期間において、設定情報の告知回数が遊技機毎告知回数集計手段によって遊技機毎に対応して集計されるので、遊技機毎に設定情報の告知が適切な割合で行われているか否かを把握することができる。
また、所定期間において、告知条件設定手段により設定情報を告知するように設定された設定回数に対する遊技機毎告知回数集計手段により集計された告知回数の割合が、遊技機毎告知率算出手段によって遊技機毎に対応して算出されるので、特定の遊技機に偏って設定情報の告知が行われているか否かを把握することができる。
従って、次回以降の設定情報の告知イベント開催時の告知条件の設定に反映することが可能となり、特定の遊技機に偏って設定情報の告知が行われることなく、適切な割合で設定情報の告知を行うことが可能となる。
【０００６】
請求項２の発明によれば、所定期間において、設定情報の告知回数が設定情報毎告知回数集計手段によって大当たり確率の異なる設定情報毎に集計されるので、大当たり確率の異なる設定情報毎に設定情報の告知が適切な頻度で行われたか否かを把握することができる。
また、所定期間において、告知条件設定手段により設定情報を告知するように設定された設定回数に対する遊技機毎告知回数集計手段により集計された告知回数の割合が、設定情報毎告知率算出手段によって大当たり確率の異なる設定情報毎に算出されるので、特定の設定情報に偏って設定情報の告知が行われていないか否かを把握することができる。
従って、次回以降の設定情報の告知イベント開催時の告知条件の設定に反映することが可能となり、特定の設定情報に偏って設定情報の告知が行われることなく、適切な割合で設定情報の告知を行うことが可能となる。
【発明を実施するための最良の形態】
【０００７】
以下、本発明の一実施例について図面を参照しながら説明する。
図１には、遊技場用管理システムの全体構成が概略的に示されている。この図１において、遊技場内には複数台のスロットマシン（遊技機に相当）１が設置されており、各スロットマシン１に隣接して遊技用のメダルを貸出す貸出装置２が設けられている。
【０００８】
図１中では、スロットマシン１の各構成要素について具体的な符号を付していないが、このスロットマシン１は、所定のゲーム開始操作、つまり、メダル投入口にメダルが投入された状態、若しくは投入ボタンを通じてクレジットメダルの投入を受けた状態でスタートレバーの操作が行われたときに、複数列（３列）のリールより成る可変表示装置を動作させることによりゲームを開始するものであり、各列のリールに対応したストップボタンの操作によりリールの回転が停止したときに１ゲームが終了する構成となっている。
【０００９】
そして、このゲーム終了時において、可変表示装置で表示される停止図柄が所定の当たり図柄になったときには、その当たり図柄により決まる当たり役（ビッグボーナス、レギュラーボーナス、小役）が発生し、その当たり役の種類に応じた枚数のメダルが受皿へ払い出される。
【００１０】
上記した可変表示装置で表示する停止図柄は、スタートレバーが操作されたタイミング（ゲーム開始タイミング）で行われる内部抽選の結果に応じて決まるものであり、スロットマシン１においては、内部抽選により当選した当たり役に対応したフラグ（ビッグボーナスフラグ、レギュラーボーナスフラグ、小役フラグ）を立て、そのフラグに基づいて、所謂すべり制御を含む可変表示装置の停止制御（各リールをフラグの種類に応じた当たり図柄或いは外れ図柄で停止させる制御）を行う構成となっている。
【００１１】
この場合、上記内部抽選により大当たりとしてのビッグボーナス及びレギュラーボーナスに当選する各確率（大当たり確率に相当）は、「設定１」〜「設定６」に対応した６段階の設定値（設定情報に相当）の中から予め選択的に設定されるものであり、図２の内部抽選確率テーブルには、「設定１」〜「設定６」に対応した内部抽選の当たり確率の具体例が示されている。この具体例では、設定値が高くなるに従って内部抽選確率も高くなるように設定されており、「設定６」の大当たり確率が最も高く、遊技客にとって最も有利な設定値となっている。
【００１２】
スロットマシン１は、遊技が行われるのに応じて、少なくとも以下（１）〜（５）に示すような信号を出力する構成となっている。
（１）アウト信号（１メダル投入毎または１クレジットメダル消化毎に１パルス出力）
（２）セーフ信号（１メダル払出毎に１パルス出力）
（３）ゲーム信号（１ゲーム開始毎に１パルス出力）
（４）ＢＩＧ信号（ビッグボーナス期間中にレベル信号出力）
（５）ＲＥＧ信号（レギュラーボーナス期間中にレベル信号出力）
これらの信号は、図１に示すデータ中継機能を備えた遊技機端末（設定告知手段に相当）３及びＬＡＮ４を通じて管理装置（告知条件設定手段、告知制御手段、遊技機毎告知回数集計手段、遊技機毎告知率算出手段、設定情報毎告知回数集計手段、設定情報毎告知率算出手段に相当）５へ送信される構成となっている。
【００１３】
図３には、遊技機端末３の正面図が示されている。遊技機端末３には、スロットマシン１や管理装置５からの出力信号に応じて点灯／点滅が行われるランプをカバー部材で覆ったランプ部６が設けられている。そして、そのランプ部６の遊技客から見て右方向には遊技客が店員を呼び出す際に押圧して使用する呼出ボタン７が備えられており、当該遊技機端末３の中央部にはスロットマシン１から出力される信号を基にスロットマシン１の稼動データを表示するデータ表示部８が備えられている。
【００１４】
図４には、通常時におけるデータ表示部８の表示例が示されており、以下これについて説明する。即ち、図４において、データ表示部８では以下（１）〜（５）のような表示エリアに前記稼動データが分割されて表示される。
【００１５】
（１）ゲーム数表示エリア８ａ：ボーナス間（ボーナスがゼロの場合は営業開始後）のゲーム数と、営業開始後の累計ボーナス間ゲーム数とがデジタル表示される。なお、以降において「ゲーム数」の表記は全てボーナス間（ボーナスが発生していない期間）のゲーム数を意味する。
（２）大当たり回数表示エリア８ｂ：本日、１日前、２日前のビッグボーナス及びレギュラーボーナスの回数と、過去最高となるビッグボーナスの回数とがデジタル表示される。
【００１６】
（３）ゲーム数履歴表示エリア８ｃ：最新１０回分のボーナス間ゲーム数の履歴と、現在のボーナス間ゲーム数が棒グラフで表示される。
（４）種別表示エリア８ｄ：ゲーム数履歴と対応付けてボーナスの種別（ビッグボーナス＝★、レギュラーボーナス＝なし）が表示される。
【００１７】
（５）メッセージ表示エリア８ｅ：管理装置５からの表示指令に応じて各種のメッセージや、後述するように「４０００〜８０００ゲーム到達で設定５、６告知！」等の設定値の告知条件を表示するとともに、対応するスロットマシン１が告知対象である場合は「この台は設定６です。おめでとうございます！」等の設定値の告知条件の達成時に設定値告知メッセージをスクロール表示する。
【００１８】
管理装置５では、この遊技機端末３を介してスロットマシン１側から送信されてくる稼動データの信号に基づいて、所定期間における設定値告知の設定が行われた回数（設定告知イベントにおいて対象となった回数）、実際に設定値告知が行われた回数がスロットマシン１毎及び設定値毎に集計される。そして、管理装置５は、集計した集計データを所定形式の設定値告知統計データ（図８参照）としてモニター９に表示可能となっている。
【００１９】
次に、上記構成の作用について説明する。
設定告知イベントを開催する場合は、図５に示すように、管理装置５の告知条件種別選択画面においてスロットマシン１毎或いは機種毎に何れか１つの告知条件種別を選択する。前記告知条件種別としては、以下のものが設定されている。
【００２０】
告知条件１：告知しない（設定値を告知しない）
告知条件２：累計ゲーム数（自台と自台の両隣のスロットマシン１の累計ゲーム数が所定のゲーム数に達した場合に設定値を告知する）
告知条件３：差枚数（メダルの払出枚数−メダルの投入枚数＝差枚数が、所定の枚数に達した場合に設定値を告知する）
告知条件４：ＢＩＧ回数（ビッグボーナスの当選回数（入賞回数）が所定の回数に達した場合に設定値を告知する）
【００２１】
設定告知イベントを開催する場合には、設定告知イベントの対象外となるスロットマシン１には、告知条件１の設定を行って設定値を告知しない設定としておく。また、設定告知イベントの対象となるスロットマシン１には告知条件２〜４の選択を行って、所定の告知条件を満たした場合に設定値の告知が可能な状態にしておく。告知条件２〜４までの告知条件種別の選択を行った場合、所定の告知条件となる条件数値の設定が必要となる。
【００２２】
図６には、スロットマシン１毎に対応した条件数値の入力画面の一例が示されている。まず、遊技場の店員が図６に示す条件数値設定画面の「設定値」の入力欄に、各スロットマシン１に設定した設定１〜６の何れかの設定値を入力する。「設定値」の入力欄に設定値が入力されると、管理装置５は、設定値告知が行われるように設定された回数のカウントをスロットマシン１の台番及び設定値毎に設定値統計データとして記録、更新する。
【００２３】
次に、告知条件種別に対応した条件数値を入力する。図６に示す例では、特定機種のスロットマシン１について図５に示す告知条件種別選択画面において告知条件２（累計ゲーム数）が告知条件として選択された場合の条件数値の条件数値設定画面が示されており、この場合は、「条件数値」と「両隣台」の入力欄に設定値告知が行われる条件となる累計ゲーム数が入力されている。例えば台番４のスロットマシン１では、自台の累計ゲーム数が７０００ゲームに到達して、台番３と５のスロットマシン１の累計ゲーム数が５０００ゲームに到達している場合に設定値告知が行われる。
【００２４】
また、例えば５番台のスロットマシン１では、自台の累計ゲーム数が８０００ゲームに到達すると両隣台の累計ゲーム数に関係なく設定値告知が行われる。このように、「両隣台」の条件数値は必須ではないが、高設定（設定５、６）を告知するとその両隣台の稼働率が低下するという傾向が一般的に見られるので、両隣台の稼働率をある程度確保するために高設定の告知条件として「両隣台」の条件数値を設定するのが望ましいといえる。
【００２５】
ここで、「条件数値」の入力欄に条件数値を入力した場合は、当該条件数値から告知予想時刻が自動で計算されて、「告知予想時刻」欄に表示される。図６に示す例では、遊技場の開店時間が午前９時で、１時間に６００ゲームが行われることを前提条件として告知予想時刻が計算されている。尚、これらの前提条件は、図示しない前提条件設定画面にて変更できる。
【００２６】
そして、遊技場が開店したときは、イベント対象機種のスロットマシン１に対応する遊技機端末３のメッセージ表示エリア８ｅでは、図４に示すように「４０００〜８０００ゲーム到達で設定５６告知！」の表示が行われる。これは、前述したように告知条件が自台の累計ゲーム数と両隣のスロットマシン１の累計ゲーム数によるもので、設定５、６の設定値が設定されているスロットマシン１は４０００〜８０００ゲーム経過した場合に、設定値告知が行われる可能性があることを遊技客に伝えることで遊技客の期待を煽るように告知メッセージが表示されている。
【００２７】
なお、実際には設定値が５、６のスロットマシン１に限らず、設定値が１〜４のスロットマシン１に対しても条件数値が設定され、その条件数値が満たされたときには設定値告知が行われる。また、自台の累計ゲーム数が条件数値設定画面の「条件数値」に設定した告知条件に到達した場合であっても、両隣のスロットマシン１の累計ゲーム数が条件数値設定画面の「両隣台」に設定した告知条件に到達していない場合には設定値告知が行われない。
【００２８】
さて、遊技場が営業を開始して遊技客が来店してから、遊技客がスロットマシン１にメダルを投入してスタートレバーを操作すると、スロットマシン１からアウト信号が出力されると共にスタート信号が出力されるので、管理装置５は、台番に対応してアウト数及び累計Ｇ数を計数する。また、スロットマシン１で当たり役が発生すると、メダルの払い出しに応じてセーフ信号が出力されるとともに、当たり役の種類がビッグボーナスあるいはレギュラーボーナスである場合にはＢＩＧ信号あるいはＲＥＧ信号が出力されるので、管理装置５は、台番に対応してＢＩＧ回数及びＲＥＧ回数を計数すると共に、メダルの差枚数（アウト−セーフ）を演算する。このようにして、管理装置５により営業開始からの各スロットマシン１の遊技データが管理される。
【００２９】
そして、遊技場の開店前に予め設定しておいた告知条件、つまり図６に示した例では、自台と両隣のスロットマシン１の累計ゲーム数が条件数値を満たすと、図７に示すように、遊技機端末３においてメッセージ表示エリア８ｅで「この台は設定６です。おめでとうございます！」等の設定値告知メッセージが１分間スクロール表示された後、「設定６確定！」等の文字が継続的に表示されると共にランプ部６が継続的に点滅されるようになっている。
【００３０】
従って、遊技者は、自分が遊技するスロットマシン１の設定値が６であることが分り、遊技に熱中するようになる。なお、上述した通り、設定値が１〜４のスロットマシン１であっても設定値告知が行われる場合があるが、そのような場合は遊技者を祝福するメッセージは表示されない。
【００３１】
遊技機端末３において、上述したように設定値告知メッセージを表示したときは、その設定値告知メッセージを表示した情報を管理装置５へ送信する。管理装置５は、遊技機端末３から設定値告知メッセージが表示された情報を受信したときは、設定値告知が行われたスロットマシン１の台番に対応した設定値告知が行われた設定値の告知回数のカウント数を１増やして告知統計データとして記録、更新する。
【００３２】
そして、遊技場の店員は、スロットマシン１毎に設定値告知が適切な頻度で行われているか、特定の台番のスロットマシン１に偏って設定値告知が行われていないかを判断したい場合は、確認したい所定期間を任意で設定して、管理装置５に帳票作成を指示する。管理装置５は、帳票作成の指示を受けると、設定値統計データと告知統計データに基づいた設定値告知統計データ（図８参照）をモニター９に表示する。
【００３３】
つまり、遊技場の店員により所定期間が設定されると、管理装置５において記録されていた所定期間内の設定告知イベントで対象となった回数（設定値告知の設定が行われた回数（設定回数））と実際に設定値告知が行われた回数（告知回数）が、スロットマシン１の台番に対応して設定値毎に表示される。これと同時に、スロットマシン１の台番毎の平均設定、合計、告知率と設定値毎の設定回数及び告知回数、合計、告知率とが、演算されて表示される。
【００３４】
図８には、所定期間に集計された設定値告知統計データの一例が示されている。設定値告知統計データは、例えば２００６年４月１日から２００６年４月３０日までの所定期間を任意に設定することで、一ヶ月の期間内における前記設定値告知統計データを管理装置５のモニター９において確認することができるものである。
【００３５】
なお、本実施例においては２００６年４月１日から２００６年４月３０日までの１ヶ月間（３０日間）が設定告知イベントの開催期間であり、その期間中は営業日毎において全てのスロットマシン１が設定値告知の対象となるように告知条件が設定されている。集計期間中に設定告知イベントを開催しなかった営業日が含まれてもいいが、設定告知イベントの非開催日は集計対象から除外される。
【００３６】
管理装置５のモニター９に示される設定値告知統計データの設定項目としては、設定値告知の設定が行われた回数（設定１〜設定６）、設定１〜設定６に対応した告知回数がスロットマシン１の台番に対応して集計され、平均設定、合計、告知率がスロットマシン１の台番に対応して算出される。
【００３７】
（１）設定１〜設定６：各スロットマシン１において設定値告知の設定が行われた設定値毎の回数
（２）告知回数：各スロットマシン１において実際に設定値告知が行われた設定値毎の回数
（３）平均設定：各スロットマシン１において実際に設定値告知の設定が行われた設定値の平均（（１×設定１の設定回数＋２×設定２の設定回数＋・・・＋６×設定６の設定回数）÷３０）
（４）合計：各スロットマシン１における設定１〜設定６の告知回数の合計
（５）告知率：告知回数／設定回数（各スロットマシン１における設定回数に対する告知回数の合計の割合）
【００３８】
また、所定期間となる一ヶ月の間に、設定値告知の設定が行われた回数と告知回数の合計、告知率が設定値毎に集計される。
（６）合計：設定値告知の設定が行われた回数（設定１〜設定６）と告知回数の設定値毎の合計
（７）告知率：設定値告知の設定が行われた回数の合計に対する告知回数の合計の設定値毎の割合
【００３９】
図８に示す例において、スロットマシン１の台番毎の「平均設定」に着目してみると、台番１、３乃至７のスロットマシン１は、設定告知イベントの開催期間中に使用された設定値の平均が２以上で、台番２、８乃至１０のスロットマシン１は、設定告知イベントの開催期間中に使用された設定値の平均が２以下であることを把握できる。
【００４０】
また、スロットマシン１の台番毎の「合計」に着目すると、台番２、７、１０のスロットマシン１で設定値告知が実際に行われた回数が３回、２回、３回と、少ないことを把握することができる。さらに、スロットマシン１の台番毎の「告知率」に着目すると、台番２、７、１０のスロットマシン１では告知率が１０％以下と、設定値告知が行われるように設定されたにも関わらず設定値告知が行われなかったことが多いことを把握できる。特に台番７のスロットマシン１は、設定６が２回使用されたが２回とも告知されていないことが分かる。一方、台番３、４、６のスロットマシン１では、告知回数が６回、告知率が２０％と高いことがわかる。
従って、告知回数及び告知率の低い台番２、７、１０のスロットマシン１の告知回数が高くなるように告知条件を変更する必要があると判断できる。
【００４１】
次に、設定値毎の「合計」に着目すると、設定告知イベントにおいて設定１と設定２が使用された頻度が高く、設定３の使用頻度が最も低いことが把握できる。また、設定値毎の「告知率」に着目すると、設定１の設定値告知が行われた告知率は６．２％、設定２の設定値告知が行われた告知率は３．４％と告知率が低く、低設定の告知が多発することで遊技客の期待が低下することを防止できたことがわかる。設定３に関しては、０％で一度も設定値告知が行われておらず、設定１〜６の設定値を満遍なく告知したいと考える場合は、告知条件となる条件数値等を調整する必要があることがわかる。高設定値の告知率は、設定５は６５％で、設定６は６４．３％であることから、他の低設定と比較すると高い確率で設定値告知が成されていることを把握できる。
【００４２】
このような実施例によれば、管理装置５は、所定期間において、スロットマシン１毎に対応して設定値告知の設定回数及び告知回数を集計すると共に、設定回数に対する告知回数の割合である告知率を算出するようにしたので、スロットマシン１毎に設定値告知が適切な頻度で行われているか、特定の台番のスロットマシン１に偏って設定値告知が行われていないかを判断することができる。従って、次回の設定告知イベント開催の際に、設定値告知統計データに基づいて告知条件を設定することで、特定の遊技機に偏って設定情報の告知が行われることなく、適切な割合で且つ満遍なく設定値告知を行うことが可能となる。
【００４３】
本発明は、上記実施例に限定されることなく、次のように変形または拡張できる。
管理装置５に対して設定値情報を手入力するようにしたが、スロットマシン１が設定値情報を出力するように構成すれば、人手を介さずスロットマシン１から管理装置５へ直接的に設定値情報を入力することができる。
【００４４】
スロットマシン１以外に、パチンコ遊技機やパロット遊技機など、各遊技機毎の所定の設定により出玉率を変更可能なあらゆる遊技機に適用することができる。この場合、パチンコ遊技機に適用した場合の設定情報としては、いわゆるセブン機タイプの大当たり確率の設定情報だけでなく、釘調整の状態に関する情報（釘調整が甘い、もしくは辛い）を含んでもよい。
遊技機端末を遊技機と別体で設けたが、遊技機と一体的に設けてもよい。
【図面の簡単な説明】
【００４５】
【図１】本発明の一実施例におけるシステム全体を示す概略図
【図２】スロットマシンの内部抽選確率テーブルを示す図
【図３】遊技機端末の正面図
【図４】遊技機端末のデータ表示部の正面図
【図５】管理装置の告知条件種別選択画面を示す図
【図６】管理装置の条件数値設定画面を示す図
【図７】遊技機端末のデータ表示部における表示例を示す図
【図８】管理装置の設定値告知統計データを示す図
【符号の説明】
【００４６】
図面中、１はスロットマシン（遊技機）、３は遊技機端末（設定告知手段）、５は管理装置（告知条件設定手段、告知制御手段、遊技機毎告知回数集計手段、遊技機毎告知率算出手段、設定情報毎告知回数集計手段、設定情報毎告知率算出手段）を示す。
【図１】
2008132128.tif 000003
【図２】
2008132128.tif 000004
【図３】
2008132128.tif 000005
【図４】
2008132128.tif 000006
【図５】
2008132128.tif 000007
【図６】
2008132128.tif 000008
【図７】
2008132128.tif 000009
【図８】
2008132128.tif 000010